(57)【要約】【課題】  鍵盤部を覆う鍵カバー部材によって楽器本体に組み込まれる各種の電子部品が制約を受けず、楽器全体の小型化が図れる鍵盤楽器を提供する。【解決手段】  巻取部５に引き出し可能に巻き取られる屈曲自在の鍵カバー部材４が、鍵盤シャーシ１に設けられた鍵盤部２の前側下部から引き出されて鍵盤部２を覆うように構成した。従って、鍵カバー部材４を鍵盤部２の前側下部に収納することができ、このため楽器全体の奥行きを短くして楽器全体の小型化を図ると共に、鍵盤部２の後部側に位置するコンソール部３内に組み込まれるスイッチやスピーカなどの電子部品２１が鍵カバー部材４によって制約を受けず、自由に電子部品２１を設置することができる。また、鍵カバー部材４は巻取部５に引き出し可能に巻き取られるので、鍵カバー部材４の収納スペースを小さくでき、これによっても楽器全体の小型化を図ることができる。【選択図】        図１
2007017566.tif 000002
【特許請求の範囲】
【請求項１】
楽器本体と、
この楽器本体に設けられた鍵盤部と、
この鍵盤部の前側下部から引き出されて前記鍵盤部上を覆う屈曲自在の鍵カバー部材と、
この鍵カバー部材を引き出し可能に巻き取る巻取部と
を備えたことを特徴とする鍵盤楽器。
【請求項２】
前記鍵カバー部材は布や塩化ビニルなどの軟質材料からなり、前記巻取部は前記楽器本体内における前記鍵盤部の前側下部に収納されていることを特徴とする請求項１に記載の鍵盤楽器。
【請求項３】
前記鍵カバー部材の先端部にはカバー支持軸が設けられ、前記楽器本体の両側内面には前記カバー支持軸の両端部を前記鍵盤部の前側下部から後側上部に亘ってガイドするガイド溝がそれぞれ設けられていることを特徴とする請求項１または２に記載の鍵盤楽器。
【請求項４】
前記楽器本体の両側内面には、前記鍵カバー部材の両側部を載置するガイド載置部が前記ガイド溝に沿ってそれぞれ設けられていることを特徴する請求項３に記載の鍵盤楽器。
【発明の詳細な説明】
【技術分野】
【０００１】
この発明は、電子ピアノなどの鍵盤楽器に関し、更に詳しくは鍵盤部を開閉可能に覆う鍵カバー部材を備えた鍵盤楽器に関する。
【背景技術】
【０００２】
一般に、電子ピアノなどの鍵盤楽器においては、使用しないときに鍵盤部に埃が付着しないように、鍵盤部を鍵盤蓋で開閉可能に覆うようになっている。このような鍵盤楽器では、鍵盤蓋を１枚の板で形成し、この鍵盤蓋を鍵盤部上から後方にスライドさせて開くように構成されていることが多く、このため楽器本体の奥行きが長くなり、楽器全体が大型化するという問題がある。
【０００３】
このような問題を回避するため、従来の鍵盤楽器においては、特許文献１に記載されているように、鍵盤蓋の後部側を屈曲可能な蓋部材で構成し、鍵盤蓋を前側から後側にスライドさせて開くときに、鍵盤部の後部側の蓋部材を順次折り曲げながら折り返すことにより、楽器本体の奥行きを短くして楽器全体の小型化を図るように構成したものがある。
【特許文献１】特開平８−３１４４３４号
【発明の開示】
【発明が解決しようとする課題】
【０００４】
しかしながら、このような従来の鍵盤楽器では、鍵盤蓋を開くときに、鍵盤部の後部側の蓋部材を順次折り曲げながら折り返すことにより、鍵盤蓋を鍵盤部の後部側に収納する構成であるから、楽器本体の奥行きを十分に短くして楽器全体の更なる小型化を図ることができないという問題がある。
【０００５】
また、このような従来の鍵盤楽器では、鍵盤蓋を鍵盤部の後部側に収納する構成であるから、鍵盤部の後部側に位置する楽器本体内に組み込まれるスイッチやスピーカなどの電子楽器に必要な各種の電子部品が鍵盤蓋によって制約を受け、各種の電子部品を自由に設置することができないという問題がある。特に、スピーカは、鍵盤蓋の収納部分を避けて、その下側または上側に設けなければならず、このためスピーカの音が演奏者に届きにくいという問題がある。
【０００６】
この発明が解決しようとする課題は、鍵盤部を覆う鍵カバー部材によって楽器本体内に組み込まれる各種の電子部品が制約を受けず、楽器全体のより一層の小型化を図ることができる鍵盤楽器を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図７に示すように、楽器本体（鍵盤シャーシ１）と、この楽器本体に設けられた鍵盤部（２）と、この鍵盤部の前側下部から引き出されて前記鍵盤部上を覆う屈曲自在の鍵カバー部材（４）と、この鍵カバー部材を引き出し可能に巻き取る巻取部（５）とを備えたことを特徴とする鍵盤楽器である。
【０００９】
請求項２に記載の発明は、図１〜図６に示すように、前記鍵カバー部材（４）が布や塩化ビニルなどの軟質材料からなり、前記巻取部（５）が前記楽器本体（鍵盤シャーシ１）内における前記鍵盤部（２）の前側下部に収納されていることを特徴とする請求項１に記載の鍵盤楽器である。
【００１０】
請求項３に記載の発明は、図１〜図７に示すように、前記鍵カバー部材（４）の先端部にカバー支持軸（２５）が設けられ、前記楽器本体（鍵盤シャーシ１）の両側内面に、前記カバー支持軸の両端部を前記鍵盤部（２）の前側下部から後側上部に亘ってガイドするガイド溝（２６）がそれぞれ設けられていることを特徴とする請求項１または２に記載の鍵盤楽器である。
【００１１】
請求項４に記載の発明は、図１〜図７に示すように、前記楽器本体（鍵盤シャーシ１）の両側内面に、前記鍵カバー部材（４）の両側部を載置するガイド載置部（２８）が前記ガイド溝（２６）に沿ってそれぞれ設けられていることを特徴する請求項３に記載の鍵盤楽器である。
【発明の効果】
【００１２】
請求項１に記載の発明によれば、巻取部に引き出し可能に巻き取られる屈曲自在の鍵カバー部材が、楽器本体に設けられた鍵盤部の前側下部から引き出されて鍵盤部上を覆う構成であるから、鍵カバー部材を鍵盤部の前側下部に収納することができ、このため楽器本体の奥行きを十分に短くすることができ、これにより楽器全体のより一層の小型化を図ることができる。
【００１３】
この場合、特に鍵カバー部材が楽器本体の後部側に収納されることがないので、鍵盤部の後部側に位置する楽器本体内に組み込まれるスイッチやスピーカなどの電子楽器に必要な各種の電子部品が鍵カバー部材によって制約を受けることがなく、自由に電子部品を設置することができる。また、鍵カバー部材が巻取部に引き出し可能に巻き取られるので、鍵カバー部材の収納スペースを小さくすることができ、これによっても楽器全体の小型化を図ることができる。
【００１４】
請求項２に記載の発明によれば、鍵カバー部材が布や塩化ビニルなどの軟質材料からなることにより、鍵カバー部材を巻取部に容易に且つ良好に巻き取ることができ、また巻取部が楽器本体内における鍵盤部の前側下部に収納されていることにより、鍵カバー部材全体の長さを必要最小限の長さにすることができ、これにより鍵カバー部材の巻取量が少なくて済むので、巻取部の収納スペースを小さくすることができ、より一層、楽器全体の小型化を図ることができるほか、巻取部が楽器本体の外部に露出しないため、デザイン性の高いものを得ることができる。
【００１５】
請求項３に記載の発明によれば、鍵カバー部材の先端部にカバー支持軸が設けられ、楽器本体の両側内面に、カバー支持軸の両端部を鍵盤部の前側下部から後側上部に亘ってガイドするガイド溝がそれぞれ設けられていることにより、このガイド溝によってカバー支持軸を円滑に且つ良好に移動させることができ、このため鍵カバー部材が布や塩化ビニルなどの軟質材料で形成されていても、鍵カバー部材が捩れたり折れ曲がったりせず、鍵カバー部材を均一に鍵盤部上に張り渡すことができ、これにより良好に鍵盤部を覆うことができる。
【００１６】
請求項４に記載の発明によれば、楽器本体の両側内面に、鍵カバー部材の両側部を載置するガイド載置部がガイド溝に沿ってそれぞれ設けられていることにより、鍵カバー部材を引き出して鍵盤部の上側に張り渡すときに、鍵カバー部材の両側部をガイド載置部に載置してガイドすることができ、このため鍵カバー部材が布や塩化ビニルなどの軟質材料で形成されていても、鍵カバー部材の両側部が弛んだり撓んだりすることがなく、確実に且つ良好に鍵カバー部材を鍵盤部上に張り渡すことができる。
【発明を実施するための最良の形態】
【００１７】
以下、図１〜図６を参照して、この発明を適用した鍵盤楽器の一実施形態について説明する。
図１はこの発明の鍵盤楽器の非使用時における断面図、図２は図１の鍵盤楽器の使用時における断面図である。
この鍵盤楽器は、図１および図２に示すように、楽器本体を兼ねる鍵盤シャーシ１と、この鍵盤シャーシ１に設けられた鍵盤部２と、この鍵盤部２の後方（図１では左方）に位置する鍵盤シャーシ１の後部に設けられたコンソール部３と、鍵盤部２の前側下部（図１では右側下部）から引き出されて鍵盤部２上を開閉可能に覆う鍵カバー部材４と、この鍵カバー部材４を引き出し可能に巻き取る巻取部５とを備えている。
【００１８】
鍵盤シャーシ１は、図１および図２に示すように、鍵盤部２を搭載する鍵盤搭載部６と、鍵盤部２の前端下部（図１では右端下部）を覆う前カバー部７と、鍵盤部２の両側を覆う側壁部８とを備え、これらが合成樹脂によって一体に形成されているほか、鍵盤シャーシ１の底部に底板部９が取り付けられた構成になっている。この場合、前カバー部７は、図１および図２に示すように、その下部が前面側（図１では右面側）および下面側に亘ってえぐられた凹部状に形成され、これにより巻取部５を収納する収納部１０が形成され、この収納部１０の底部側に収納蓋１１が取付金具１２によって取り付けられた構成になっている。この取付金具１２は、収納蓋１１の前側上面にビス１２ａによって取り付けられている。
【００１９】
鍵盤部２は、図１および図２に示すように、鍵盤シャーシ１の鍵盤搭載部６上に上下方向に回動可能に配置された複数の鍵１３と、鍵盤シャーシ１の鍵盤搭載部６の下側に上下方向に回動可能に設けられて各鍵１３にそれぞれアクション荷重を付与する複数のハンマー１４とを備えている。この場合、鍵１３は、白鍵１３ａと黒鍵１３ｂとからなり、その後端部（図１では左端部）が鍵盤シャーシ１の鍵盤搭載部６における後側上部（図１では左側上部）の鍵支持部１５に回動可能に取り付けられている。ハンマー１４は、鍵盤シャーシ１の鍵盤搭載部６における中間部の下面に設けられたハンマー支持部１６に回動可能に支持され、この状態で、先端部（図１では右端部）が鍵１３のハンマー連結部１７に挿入され、これにより鍵１３に連結されている。
【００２０】
この場合、ハンマー１４は、その自重によってハンマー支持部１６を中心に図１において反時計回りに付勢され、これにより後端部（図１では左端部）が鍵盤シャーシ１の底板部９の下限ストッパ部１８に当接して下限位置が規制されている。また、このハンマー１４は、その先端部（図１では右端部）がハンマー１４の自重に抗して鍵１３によって押し下げられると、ハンマー支持部１６を中心に図１において時計回りに回動し、後端部が鍵盤シャーシ１の鍵盤搭載部６における後部下面の上限ストッパ部１９に当接して上限位置が規制されるように構成されている。
【００２１】
従って、鍵１３は、図１に示すように、通常はハンマー１４が下限位置に規制されていることにより、ハンマー連結部１７がハンマー１４の先端部によって押し上げられ、これにより鍵盤搭載部６の後部の鍵支持部１５を中心に図１において反時計回りに回動して上限位置に付勢されている。また、この鍵１３は、図１に２点鎖線で示すように、押鍵時に鍵支持部１５を中心に図１において時計回りに回動し、ハンマー連結部１７がハンマー１４の先端部を押し下げることにより、ハンマー１４を図１において時計回りに回動させ、このハンマー１４が上限位置に規制されたときに、このハンマー１４によって下限位置に規制されるように構成されている。
【００２２】
コンソール部３は、図１および図２に示すように、鍵盤シャーシ１の後部（図１では左側部）にコンソールカバー２０が鍵盤部２の後方を覆った状態で取り付けられ、このコンソールカバー２０と鍵盤シャーシ１とで囲われた領域の内部に電子楽器に必要な各種の電子部品２１が配置されている。この電子部品としては、例えば、音量や音色などを選択するための各種のスイッチや、スピーカ、回路基板などである。
【００２３】
一方、鍵カバー部材４を巻き取る巻取部５は、図１および図２に示すように、鍵盤シャーシ１の前カバー部７の下側に設けられた収納部１０内に設けられている。この巻取部５は、図３および図４に示すように、収納部１０の収納蓋１１の両側にそれぞれ設けられた一対の支持部材２２に巻取軸２３が回転自在に取り付けられ、この巻取軸２３が渦巻き状のばね部材（図示せず）によって鍵カバー部材４を巻き取る方向に付勢され、これにより巻取軸２３が鍵カバー部材４を引き出し可能に巻き取るように構成されている。
【００２４】
鍵カバー部材４は、布や塩化ビニルなどの軟質材料からなり、全体がシート状に形成され、図１〜図４に示すように、巻取部５の巻取軸２３に引き出し可能に巻き取られると共に、収納部１０に対応する鍵盤シャーシ１の前カバー部７の上部に設けられた引出し口２４から引き出されて鍵盤部２の上側を覆うように構成されている。すなわち、この鍵カバー部材４の先端部には、図１〜図５に示すように、カバー支持軸２５が設けられている。
【００２５】
このカバー支持軸２５は、図５および図６に示すように、その両端部２５ａが鍵盤シャーシ１の両側の側壁部８にそれぞれ設けられた各ガイド溝２６に挿入され、この挿入された両端部２５ａが両側の側壁部８の外部に突出し、この突出した部分の両端部２５ａがＥリングなどの抜止め部材２７によって各ガイド溝２６から抜けないように取り付けられている。各ガイド溝２６は、図１および図２に示すように、鍵盤シャーシ１の両側の側壁部８に鍵盤部２の前側下部から後部側のコンソール部３の近傍に亘ってそれぞれ設けられている。すなわち、ガイド溝２６は、鍵盤シャーシ１の前カバー部７の上部に設けられた引出し口２４の両側に位置する箇所からコンソール部３の上部手前側の箇所に亘って連続して形成されている。
【００２６】
また、各ガイド溝２５の各後端部には、図１および図２に示すように、カバー支持軸２５の両端部２５ａを係止する係止溝２６ａが斜め下側に向けてそれぞれ傾斜して設けられている。また、鍵盤シャーシ１の両側の側壁部８には、図３〜図５に示すように、鍵カバー部材４の両側部を載置するガイド載置部２８がガイド溝２６の下辺に沿ってそれぞれ設けられている。なお、鍵盤シャーシ１の両側の側壁部８には、図５に示すように、側面カバー２９が取り付けられている。この側面カバー２９は、鍵盤シャーシ１の両側の側壁部８から突出したカバー支持軸２５の両端部２５ａおよび抜止め部材２７を覆い隠すように構成されている。
【００２７】
このような鍵盤楽器では、使用しないときに、鍵カバー部材４の先端部に設けられたカバー支持軸２５の両端部２５ａを、鍵盤シャーシ１の両側の側壁部８にそれぞれ設けられた各ガイド溝２６に沿って、鍵盤部２の前側下部から後部側に向けて移動させると、鍵カバー部材４が巻取部５の巻取軸２３から順次繰り出されて引出し口２４から引き出される。そして、カバー支持軸２５の両端部２５ａを各ガイド溝２６の後端部にそれぞれ設けられた各係止溝２６ａに挿入させて係止させると、カバー支持軸２５が位置規制され、これにより鍵カバー部材４が鍵盤部２上を覆って張り渡される。
【００２８】
このときには、鍵カバー部材４の両側部がガイド溝２６に沿って設けられたガイド載置部２８に載置されてガイドされながら引き出されるので、鍵カバー部材４の両側部が弛んだり撓んだりすることがなく、良好に鍵カバー部材４を張り渡すことができる。また、この状態では、カバー支持軸２５の両端部２５ａが各ガイド溝２６の後端部の各係止溝２６ａに係止されているので、巻取部５のばね部材（図示せず）によって鍵カバー部材４が巻き取られる方向に付勢されていても、鍵カバー部材４が巻き戻されることがなく、鍵盤部２上に確実に張り渡された状態で固定される。
【００２９】
また、この鍵盤楽器を使用するときには、カバー支持軸２５を軽く引き上げて、カバー支持軸２５の両端部２５ａを各ガイド溝２６の後端部の各係止溝２６ａから引き出すと、カバー支持軸２５の両端部２５ａが各ガイド溝２６に沿って移動しながら、図２に示すように、巻取部５のばね部材（図示せず）のばね力によって鍵カバー部材４が巻取部５の巻取軸２３に順次巻き取られる。そして、カバー支持軸２５が引出し口２４に当接すると、巻取部５の巻取りが終了する。このときにも、鍵カバー部材４の両側部がガイド溝２６に沿って設けられたガイド載置部２８に載置されてガイドされながら移動するので、鍵カバー部材４の両側部が弛んだり撓んだりすることがなく、良好に鍵カバー部材４を巻き取ることができる。
【００３０】
このように、この鍵盤楽器によれば、巻取部５に引き出し可能に巻き取られる屈曲自在の鍵カバー部材４が、鍵盤シャーシ１に設けられた鍵盤部２の前側下部から引き出されて鍵盤部２を覆う構成であるから、鍵カバー部材４を鍵盤部２の前側下部の収納部１０に収納することができる。このため、楽器全体の奥行きを十分に短くすることができ、これにより楽器全体の小型化を図ることができると共に、鍵カバー部材４が鍵盤部２の後部側に収納されることがないので、鍵盤部２の後部側にコンソール部３を設けても、このコンソール部３が鍵カバー部材４によってまったく影響を受けることがない。
【００３１】
すなわち、鍵カバー部材４が鍵盤部２の後部側に収納されることがないので、鍵盤部２の後部側に位置するコンソール部３内に組み込まれるスイッチやスピーカなどの電子楽器に必要な各種の電子部品２１が鍵カバー部材４によって制約を受けることがなく、自由に電子部品２１を設置することができる。このため、例えば、スピーカをその音が演奏者に届きやすい向きに設置することができる。また、鍵カバー部材４が巻取部５に引き出し可能に巻き取られるので、鍵カバー部材４の収納スペースを小さくすることができ、これによっても楽器全体をコンパクトに構成することができる。
【００３２】
また、鍵カバー部材４が布や塩化ビニルなどの軟質材料からなるシート状に形成されていることにより、鍵カバー部材４を巻取部５で容易に且つ良好に巻き取ることができる。また、巻取部５が鍵盤シャーシ１における鍵盤部２の前側下部、つまり鍵盤シャーシ１の前カバー部７における引出し口２４の近傍に配置されているので、鍵カバー部材４全体の長さを必要最小限の長さにすることができ、これにより鍵カバー部材４の巻取量が少なくて済むので、巻取部５の収納スペースを小さくすることができ、より一層、楽器全体の小型化を図ることができるほか、巻取部５が外部に露出しないため、デザイン性の高いものをも得ることができる。
【００３３】
更に、鍵カバー部材４の先端部にカバー支持軸２５が設けられ、鍵盤シャーシ１の両側の側壁部８に、カバー支持軸２５の両端部２５ａを鍵盤部２の前側下部から後側に亘ってガイドするガイド溝２６がそれぞれ設けられていることにより、このガイド溝２６によってカバー支持軸２５を円滑に且つ良好に移動させることができ、これにより鍵カバー部材４が布や塩化ビニルなどの軟質材料で形成されていても、鍵カバー部材４が捩れたり折れ曲がったりせず、鍵カバー部材４を均一に張り渡して鍵盤部２を確実に且つ良好に覆うことができる。
【００３４】
特に、鍵盤シャーシ１の両側の側壁部８に、鍵カバー部材４の両側部を載置するガイド載置部２８がガイド溝２６に沿ってそれぞれ設けられていることにより、鍵カバー部材４を引き出して鍵盤部２の上側に張り渡すとき、または鍵カバー部材４を巻取部５に巻き取るときに、鍵カバー部材４の両側部をガイド載置部２８に載置してガイドしながら移動させることができる。このため、鍵カバー部材４が布や塩化ビニルなどの軟質材料で形成されていても、鍵カバー部材４の両側部が弛んだり撓んだりすることがなく、鍵カバー部材４を確実に且つ良好に張り渡した状態で、鍵カバー部材４を引き出したり巻き取ったりすることができる。
【００３５】
なお、上記実施形態では、鍵盤シャーシ１の前カバー部７の下側に収納部１０を設け、この収納部１０内に巻取部５を収納した場合について述べたが、必ずしも鍵盤シャーシ１の前カバー部７の下側に巻取部５を収納する収納部１０を設ける必要はなく、図７に示すように、鍵盤シャーシ１の底部、例えば底板部９の下面に巻取部５を設けても良い。
【００３６】
この場合にも、鍵カバー部材４は、鍵盤シャーシ１の底部から鍵盤シャーシ１の前カバー部７内に取り込まれ、この前カバー部７の上部に設けられた引出し口２４から引き出されることにより、鍵盤部２の前側下部から鍵盤部２上を覆うように構成すれば良い。また、この場合には、楽器本体である鍵盤シャーシ１の底部に脚部３０を設ければ、巻取部５が鍵盤シャーシ１の下側に突出しても、巻取部５が邪魔になることがない。このような構成でも、上述した実施形態と同様の作用効果がある。
【００３７】
また、上記実施形態では、鍵カバー部材４を布や塩化ビニルなどの軟質材料で形成した場合について述べたが、これに限らず、例えば複数の帯状の板片を折り曲げ可能に順次連結することにより、屈曲自在に構成したものであっても良い。このような構成の鍵カバー部材であっても、巻取部５に引き出し可能に巻き取ることができるので、上記実施形態と同様の作用効果が得られる。
【図面の簡単な説明】
【００３８】
【図１】この発明を適用した鍵盤楽器の非使用時における断面図である。
【図２】図１の鍵盤楽器の使用時における断面図である。
【図３】図２の鍵盤楽器の要部を示した斜視図である。
【図４】図３の分解斜視図である。
【図５】図３において鍵カバー部材を引き出した途中の状態における断面図である。
【図６】図４において鍵盤シャーシの側壁部から側面カバーを取り外して、鍵盤シャーシの外部側方から見た要部の斜視図である。
【図７】この発明の変形例を示した鍵盤楽器の断面図である。
【符号の説明】
【００３９】
１  鍵盤シャーシ
２  鍵盤部
３  コンソール部
４  鍵カバー部材
５  巻取部
８  側壁部
１０  収納部
２３  巻取軸
２４  引出し口
２５  カバー支持軸
２６  ガイド溝
２６ａ  係止溝
２８  ガイド載置部
【図１】
2007017566.tif 000003
【図２】
2007017566.tif 000004
【図３】
2007017566.tif 000005
【図４】
2007017566.tif 000006
【図５】
2007017566.tif 000007
【図６】
2007017566.tif 000008
【図７】
2007017566.tif 000009